【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
（ａ）ポリイミド、ポリエステルイミド、ポリエステルアミドイミド、ポリアミドイミド、ポリエーテルケトン、ポリエーテルエーテルケトン、ポリエーテルケトンケトン、ポリアミド、液晶ポリエステル、ポリオキシメチレン、ポリベンズイミダゾール、フルオロポリマー、ポリイミドのコポリマー、ポリエステルイミドのコポリマー、ポリエステルアミドイミドのコポリマー、ポリアミドイミドのコポリマー、ポリエーテルケトンのコポリマー、ポリエーテルエーテルケトンのコポリマー、ポリエーテルケトンケトンのコポリマー、ポリアミドのコポリマー、液晶ポリエステルのコポリマー、ポリオキシメチレンのコポリマー、ポリベンズイミダゾールのコポリマー、フルオロポリマーのコポリマー、およびそれらの相溶性ブレンドからなる群から選択されるポリマーと、
（ｂ）黒鉛添加材料であって、前記黒鉛添加材料が約１．０ｍ2／ｇ〜約１０ｍ2／ｇの範囲の比表面積を有し、前記添加材料が約１００ミクロン未満の平均粒度を有し、前記黒鉛添加材料の粒子が丸い形状を有し、前記黒鉛添加材料の重量パーセントが組成物の全重量の約３５％〜約７０％の範囲である、黒鉛添加材料と、
（ｃ）任意選択的に、アラミド繊維、ガラス繊維、炭素繊維、およびそれらの混合物からなる群から選択される繊維であって、前記繊維の重量パーセントが約０％〜約１０％の範囲である繊維とを含むことを特徴とする組成物。
【請求項２】
マトリックス樹脂材料を含む製品であって、前記マトリックス樹脂材料が、
（ａ）ポリイミド、ポリエステルイミド、ポリエステルアミドイミド、ポリアミドイミド、ポリエーテルケトン、ポリエーテルエーテルケトン、ポリエーテルケトンケトン、ポリアミド、液晶ポリエステル、ポリオキシメチレン、ポリベンズイミダゾール、フルオロポリマー、ポリイミドのコポリマー、ポリエステルイミドのコポリマー、ポリエステルアミドイミドのコポリマー、ポリアミドイミドのコポリマー、ポリエーテルケトンのコポリマー、ポリエーテルエーテルケトンのコポリマー、ポリエーテルケトンケトンのコポリマー、ポリアミドのコポリマー、液晶ポリエステルのコポリマー、ポリオキシメチレンのコポリマー、ポリベンズイミダゾールのコポリマー、フルオロポリマーのコポリマー、およびそれらの相溶性ブレンドからなる群から選択されるポリマーと、
（ｂ）黒鉛添加材料であって、前記黒鉛添加材料が約１．０ｍ2／ｇ〜約１０ｍ2／ｇの範囲の比表面積を有し、前記添加材料が約１００ミクロン未満の平均粒度を有し、前記黒鉛添加材料の粒子が丸い形状を有し、前記黒鉛添加材料の重量パーセントが組成物の全重量の約３５％〜約７０％の範囲である、黒鉛添加材料と、
（ｃ）任意選択的に、アラミド繊維、ガラス繊維、炭素繊維、およびそれらの混合物からなる群から選択される繊維であって、前記繊維の重量パーセントが約０％〜約１０％の範囲である繊維
とを含む組成物を有することを特徴とする物品。
【請求項３】
物品を製造するための方法であって、前記物品が、マトリックス樹脂材料を含み、前記マトリックス樹脂材料が、
（ａ）ポリイミド、ポリエステルイミド、ポリエステルアミドイミド、ポリアミドイミド、ポリエーテルケトン、ポリエーテルエーテルケトン、ポリエーテルケトンケトン、ポリアミド、液晶ポリエステル、ポリオキシメチレン、ポリベンズイミダゾール、フルオロポリマー、ポリイミドのコポリマー、ポリエステルイミドのコポリマー、ポリエステルアミドイミドのコポリマー、ポリアミドイミドのコポリマー、ポリエーテルケトンのコポリマー、ポリエーテルエーテルケトンのコポリマー、ポリエーテルケトンケトンのコポリマー、ポリアミドのコポリマー、液晶ポリエステルのコポリマー、ポリオキシメチレンのコポリマー、ポリベンズイミダゾールのコポリマー、フルオロポリマーのコポリマー、およびそれらの相溶性ブレンドからなる群から選択されるポリマーと、
（ｂ）黒鉛添加材料であって、前記黒鉛添加材料が約１．０ｍ2／ｇ〜約１０ｍ2／ｇの範囲の比表面積を有し、前記添加材料が約１００ミクロン未満の平均粒度を有し、前記黒鉛添加材料の粒子が丸い形状を有し、前記黒鉛添加材料の重量パーセントが組成物の全重量の約３５％〜約７０％の範囲である、黒鉛添加材料と、
（ｃ）任意選択的に、アラミド繊維、ガラス繊維、炭素繊維、およびそれらの混合物からなる群から選択される繊維であって、前記繊維の重量パーセントが約０％〜約１０％の範囲である繊維とを含む組成物を有し、
前記物品が、粉末圧縮、圧縮成形、押出成形、射出成形および反応射出成形からなる群から選択される方法によって製造されることを特徴とする方法。
【手続補正２】
【補正対象書類名】明細書
【補正対象項目名】００６５
【補正方法】変更
【補正の内容】
【００６５】
（自動変速機油の漏れの速度）
φ６０ｍｍ（幅２．３ｍｍ、厚さ２．３ｍｍ、接合０．５ｍｍ）のシールリングを、アルミニウム（ダイキャスティング用のアルミニウム合金、ＡＤＣ１２）から製造されたシャフトを有し筐体もまたアルミニウム（ダイキャスティング用のアルミニウム合金、ＡＤＣ１２）から製造された自動変速機組立体に付着し、自動変速機油を１ＭＰａの圧力下で油として使用し、２３℃〜１５０℃の油温度において漏れの速度（ｍｌ／分）を測定した。
本出願は、特許請求の範囲に記載の発明を含め、以下の発明を包含する。
（１）  （ａ）ポリイミド、ポリエステルイミド、ポリエステルアミドイミド、ポリアミドイミド、ポリエーテルケトン、ポリエーテルエーテルケトン、ポリエーテルケトンケトン、ポリアミド、液晶ポリエステル、ポリオキシメチレン、ポリベンズイミダゾール、フルオロポリマー、ポリイミドのコポリマー、ポリエステルイミドのコポリマー、ポリエステルアミドイミドのコポリマー、ポリアミドイミドのコポリマー、ポリエーテルケトンのコポリマー、ポリエーテルエーテルケトンのコポリマー、ポリエーテルケトンケトンのコポリマー、ポリアミドのコポリマー、液晶ポリエステルのコポリマー、ポリオキシメチレンのコポリマー、ポリベンズイミダゾールのコポリマー、フルオロポリマーのコポリマー、およびそれらの相溶性ブレンドからなる群から選択されるポリマーと、
（ｂ）黒鉛添加材料であって、前記黒鉛添加材料が約１．０ｍ2／ｇ〜約１０ｍ2／ｇの範囲の比表面積を有し、前記添加材料が約１００ミクロン未満の平均粒度を有し、前記黒鉛添加材料の粒子が丸い形状を有し、前記黒鉛添加材料の重量パーセントが組成物の全重量の約３５％〜約７０％の範囲である、黒鉛添加材料と、
（ｃ）任意選択的に、アラミド繊維、ガラス繊維、炭素繊維、およびそれらの混合物からなる群から選択される繊維であって、前記繊維の重量パーセントが約０％〜約１０％の範囲である繊維とを含むことを特徴とする組成物。
（２）  前記ポリマーがポリイミドであり、
前記ポリイミドが芳香族テトラカルボン酸二無水物またはその誘導体、およびジアミンまたはその誘導体の縮合重合反応によって調製され、
前記芳香族テトラカルボン酸二無水物が、ピロメリト酸二無水物、ビフェニルテトラカルボン酸二無水物、ベンゾフェノンテトラカルボン酸二無水物、およびそれらの組合せからなる群から選択され、
前記ジアミンが、４，４’−ジアミノジフェニルエーテル、３，４’−ジアミノジフェニルエーテル、ｐ−フェニレンジアミン、ｍ−フェニレンジアミン、およびそれらの組合せからなる群から選択され、
または、
前記ポリイミドが、ピロメリト酸二無水物（ＰＭＤＡ）および４，４’−オキシジアニリン（ＯＤＡ）から製造され、
または、
前記ポリイミドが、３，３’，４，４’−ビフェニルテトラカルボン酸二無水物と、ｐ−フェニレンジアミンおよび／またはｍ−フェニレンジアミンとから誘導されたポリイミドのコポリマーであることを特徴とする（１）に記載の組成物。
（３）  前記黒鉛添加材料の嵩密度が少なくとも約０．２０ｇ／ｃｍ3であることを特徴とする（１）に記載の組成物。
（４）  前記黒鉛添加材料の前記平均粒度の範囲が、９５ミクロン未満、９０ミクロン未満、８５ミクロン未満、８０ミクロン未満、７５ミクロン未満、７０ミクロン未満、６５ミクロン未満、６０ミクロン未満、５５ミクロン未満、５０ミクロン未満、４５ミクロン未満、４０ミクロン未満、３５ミクロン未満、３０ミクロン未満、２５ミクロン未満、２０ミクロン未満、１５ミクロン未満、および１０ミクロン未満からなる群から選択されることを特徴とする（１）に記載の組成物。
（５）  前記繊維がアラミド繊維であることを特徴とする（１）に記載の組成物。
（６）  前記アラミド繊維がポリ（ｐ−フェニレンテレフタルアミド）であることを特徴とする（５）に記載の組成物。
（７）  マトリックス樹脂材料を含む製品であって、前記マトリックス樹脂材料が、
（ａ）ポリイミド、ポリエステルイミド、ポリエステルアミドイミド、ポリアミドイミド、ポリエーテルケトン、ポリエーテルエーテルケトン、ポリエーテルケトンケトン、ポリアミド、液晶ポリエステル、ポリオキシメチレン、ポリベンズイミダゾール、フルオロポリマー、ポリイミドのコポリマー、ポリエステルイミドのコポリマー、ポリエステルアミドイミドのコポリマー、ポリアミドイミドのコポリマー、ポリエーテルケトンのコポリマー、ポリエーテルエーテルケトンのコポリマー、ポリエーテルケトンケトンのコポリマー、ポリアミドのコポリマー、液晶ポリエステルのコポリマー、ポリオキシメチレンのコポリマー、ポリベンズイミダゾールのコポリマー、フルオロポリマーのコポリマー、およびそれらの相溶性ブレンドからなる群から選択されるポリマーと、
（ｂ）黒鉛添加材料であって、前記黒鉛添加材料が約１．０ｍ2／ｇ〜約１０ｍ2／ｇの範囲の比表面積を有し、前記添加材料が約１００ミクロン未満の平均粒度を有し、前記黒鉛添加材料の粒子が丸い形状を有し、前記黒鉛添加材料の重量パーセントが組成物の全重量の約３５％〜約７０％の範囲である、黒鉛添加材料と、
（ｃ）任意選択的に、アラミド繊維、ガラス繊維、炭素繊維、およびそれらの混合物からなる群から選択される繊維であって、前記繊維の重量パーセントが約０％〜約１０％の範囲である繊維
とを含む組成物を有することを特徴とする物品。
（８）  前記ポリマーがポリイミドであり、
前記ポリイミドが、芳香族テトラカルボン酸二無水物またはその誘導体、およびジアミンまたはその誘導体の縮合重合反応によって調製され、
前記芳香族テトラカルボン酸二無水物が、ピロメリト酸二無水物、ビフェニルテトラカルボン酸二無水物、ベンゾフェノンテトラカルボン酸二無水物、およびそれらの組合せからなる群から選択され、
前記ジアミンが、４，４’−ジアミノジフェニルエーテル、３，４’−ジアミノジフェニルエーテル、ｐ−フェニレンジアミン、ｍ−フェニレンジアミン、およびそれらの組合せからなる群から選択され、
または、
前記ポリイミドが、ピロメリト酸二無水物（ＰＭＤＡ）および４，４’−オキシジアニリン（ＯＤＡ）から製造され、
または、
前記ポリイミドが、３，３’，４，４’−ビフェニルテトラカルボン酸二無水物と、ｐ−フェニレンジアミンおよび／またはｍ−フェニレンジアミンとから誘導されたポリイミドのコポリマーであることを特徴とする（７）に記載の物品。
（９）  前記黒鉛添加材料の嵩密度が少なくとも約０．２０ｇ／ｃｍ3であることを特徴とする（７）に記載の物品。
（１０）  前記黒鉛添加材料の前記平均粒度の範囲が、９５ミクロン未満、９０ミクロン未満、８５ミクロン未満、８０ミクロン未満、７５ミクロン未満、７０ミクロン未満、６５ミクロン未満、６０ミクロン未満、５５ミクロン未満、５０ミクロン未満、４５ミクロン未満、４０ミクロン未満、３５ミクロン未満、３０ミクロン未満、２５ミクロン未満、２０ミクロン未満、１５ミクロン未満、および１０ミクロン未満からなる群から選択されることを特徴とする（７）に記載の物品。
（１１）  前記繊維がアラミド繊維であることを特徴とする（７）に記載の組成物。
（１２）  前記アラミド繊維がポリ（ｐ−フェニレンテレフタルアミド）であることを特徴とする（１１）に記載の組成物。
（１３）  シールリングであることを特徴とする（７）に記載の物品。
（１４）  前記シールリングが、円筒部材の半径方向溝と内径を形成する筐体との間の間隔に配置され、前記円筒部材は前記内径中に可動可能に配置され、前記シールリングは、係合してシールを形成する対向した面を形成する分離線を有することを特徴とする（１３）に記載の物品。
（１５）  スコーリングのない外面を有する前記シールリングが分離線を有し、前記分離線が、粗くて互いにかみ合う対向した面を形成する前記リングの厚さにわたる破壊部を含み、その結果、前記面が接触させられるときに前記面がかみ合わせられることを特徴とする（１３）に記載の物品。
（１６）  前記分離線が前記シールリングにおいて破壊接合、突合せ接合、ステップ接合またはスカーフ接合を含むことを特徴とする（１５）に記載の物品。
（１７）  物品を製造するための方法であって、前記物品が、マトリックス樹脂材料を含み、前記マトリックス樹脂材料が、
（ａ）ポリイミド、ポリエステルイミド、ポリエステルアミドイミド、ポリアミドイミド、ポリエーテルケトン、ポリエーテルエーテルケトン、ポリエーテルケトンケトン、ポリアミド、液晶ポリエステル、ポリオキシメチレン、ポリベンズイミダゾール、フルオロポリマー、ポリイミドのコポリマー、ポリエステルイミドのコポリマー、ポリエステルアミドイミドのコポリマー、ポリアミドイミドのコポリマー、ポリエーテルケトンのコポリマー、ポリエーテルエーテルケトンのコポリマー、ポリエーテルケトンケトンのコポリマー、ポリアミドのコポリマー、液晶ポリエステルのコポリマー、ポリオキシメチレンのコポリマー、ポリベンズイミダゾールのコポリマー、フルオロポリマーのコポリマー、およびそれらの相溶性ブレンドからなる群から選択されるポリマーと、
（ｂ）黒鉛添加材料であって、前記黒鉛添加材料が約１．０ｍ2／ｇ〜約１０ｍ2／ｇの範囲の比表面積を有し、前記添加材料が約１００ミクロン未満の平均粒度を有し、前記黒鉛添加材料の粒子が丸い形状を有し、前記黒鉛添加材料の重量パーセントが組成物の全重量の約３５％〜約７０％の範囲である、黒鉛添加材料と、
（ｃ）任意選択的に、アラミド繊維、ガラス繊維、炭素繊維、およびそれらの混合物からなる群から選択される繊維であって、前記繊維の重量パーセントが約０％〜約１０％の範囲である繊維とを含む組成物を有し、
前記物品が、粉末圧縮、圧縮成形、押出成形、射出成形および反応射出成形からなる群から選択される方法によって製造されることを特徴とする方法。
（１８）  前記ポリマーがポリイミドであり、
前記ポリイミドが、芳香族テトラカルボン酸二無水物またはその誘導体、およびジアミンまたはその誘導体の縮合重合反応によって調製され、
前記酸無水物が、ピロメリト酸二無水物、ビフェニルテトラカルボン酸二無水物、ベンゾフェノンテトラカルボン酸二無水物、およびそれらの組合せからなる群から選択され、
前記ジアミンが、４，４’−ジアミノジフェニルエーテル、３，４’−ジアミノジフェニルエーテル、ｐ−フェニレンジアミン、ｍ−フェニレンジアミン、およびそれらの組合せからなる群から選択され、
または、
前記ポリイミドが、ピロメリト酸二無水物（ＰＭＤＡ）および４，４’−オキシジアニリン（ＯＤＡ）から製造され、
または、
前記ポリイミドが、２，３，３’，４’−ビフェニルテトラカルボン酸二無水物と、ｐ−フェニレンジアミンおよび／またはｍ−フェニレンジアミンとから誘導されたポリイミドのコポリマーであることを特徴とする（１７）に記載の方法。
（１９）  前記物品がシールリングであることを特徴とする（１７）に記載の方法。